(57)【要約】（課題）ＲＦＩＤタグを用いることなく、後日、調剤の内容を容易に確認することができる調剤確認装置を提供することを目的とする。（解決手段）業務を行うカウンタ２を撮像するカメラ１と、カメラ１で撮影された画像を記憶する画像管理サーバ４と、カウンタ２のマーク２１が処方箋６で隠れたか否か判断する判断手段と、時間情報を出力するタイマーと、判断手段の出力に応じて画像管理サーバ４への画像書き込みを制御する書き込み制御手段と、画像管理サーバ４に格納された画像を表示する表示装置５１と、書き込まれた画像を検索して画像管理サーバ４から読み出し、表示装置５１に出力する読み出し制御手段と、を備え、書き込み制御手段は、判断手段でマーク２１が処方箋６で隠れたことを確認するとカメラ１で撮像した画像をタイマーの時間情報に関連づけて静止画として画像管理サーバ４に書き込み、マーク２１を検出するまで動画情報を画像管理サーバ４に書き込む。
2012111498.tif 000002
【特許請求の範囲】
【請求項１】
業務を行うカウンタを撮像するカメラと、
前記カメラで撮影された画像を記憶する記憶手段と、
カウンタに調剤に関する対象物の存在の有無を判断する判断手段と、
時間情報を出力するタイマーと、
前記判断手段の出力に応じて前記記憶手段への画像書き込みを制御する書き込み制御手段と、
前記記憶手段に格納された画像を表示する表示手段と、
前記書き込まれた画像を検索して前記記憶手段から読み出し、前記表示手段に出力する読み出し制御手段と、を備え、
前記書き込み制御手段は、前記判断手段で認識対象物の存在を確認すると前記カメラで撮像した画像を前記タイマー手段の時間情報に関連づけて静止画として前記記憶手段に書き込むとともに、認識対象物が存在する間、動画或いは一連の作業を複数の静止画像で時系列に記録した画像を前記記憶手段に書き込むことを特徴とする調剤確認装置。
【請求項２】
前記読み出し制御手段は、前記時間情報に基づき前記記憶手段に記憶された静止画を検索し、該当する静止画を抽出して読み出し、前記表示手段に出力し,前記表示手段に検索用画像を表示させることを特徴とする請求項１に記載の調剤確認装置。
【請求項３】
前記読み出し制御手段は、検索用推定時間を中心とした前後の前記時間情報と該当する静止画を検索し、該当する複数の静止画を抽出して読み出し、前記表示手段に出力し、前記表示手段に検索用画像を表示させることを特徴とする請求項１に記載の調剤確認装置。
【請求項４】
前記表示手段に、該当する複数の静止画を同時に表示させることを特徴とする請求項２または請求項３に記載の調剤確認装置。
【請求項５】
前記読み出し制御手段は、該当する静止画を特定すると対応する動画或いは一連の作業を複数の静止画像で時系列に記録した画像を読み出し、前記表示手段に出力し、前記表示手段に確認用画像を表示させることを特徴とする請求項２ないし請求項４のいずれか１項に記載の調剤確認装置。
【請求項６】
前記読み出し制御手段は、患者を特定する領域を抽出して、前記表示手段に出力することを特徴とする請求項１ないし請求項５いずれか１項に記載の調剤確認装置。
【請求項７】
前記判断手段は、カウンタの薬の配布箇所に画像記録用マークを設け、このマークの認識の有無により、調剤に関する対象物が存在するか否か判断することを特徴とする請求項１に記載の調剤確認装置。
【請求項８】
前記判断手段は、カウンタに処方箋がおかれると調剤に関する対象物が存在すると判断することを特徴とする請求項１に記載の調剤確認装置。
【請求項９】
前記判断手段は、カウンタを撮像した画像を認識し、処方箋がカウンタにおかれたか否かを判断する請求項８に記載の調剤確認装置。
【請求項１０】
前記判断手段は、処方箋の患者を特定する領域を認識し、患者情報を認識することを特徴とする請求項９に記載の調剤確認装置。
【発明の詳細な説明】
【技術分野】
【０００１】
この発明は、カメラから得られた動画、静止画を利用して、薬局において調剤された薬の内容等を後日容易に確認することができる調剤確認装置に関する。
【背景技術】
【０００２】
院内薬局や院外薬局において、薬を渡した患者が後日、薬局で受け取った薬が、医師が処方した数や種類と合っていないと問い合わせが来ることがある。【０００３】
従来では、これを客観的に確認できるシステムが無く、正しく渡したか否か判断することはできなかった。【０００４】
特許文献１には、薬剤師が薬を取り揃えるところをカメラで撮像し、処方された通りに薬を採り揃えたかどうか事後的に確認することができるシステムが提案されている。【０００５】
上記のシステムは、薬が取り揃えられる搬器の底にＲＦＩＤタグを付し、この搬器のＲＦＩＤタグがカメラの撮像範囲に入ると、動画の記録を開始し、この搬器のＲＦＩＤタグがカメラの撮像範囲から出ると動画の記録を終了する。そして、記録した動画に記録時間が関連づけられており、日時で動画検索を行うことで、所望の調剤行為を確認することができる。【０００６】
このシステムを用いれば、患者から上記問い合わせがあった時に、調剤行為を行った日時で動画検索を行えば、正しく調剤を行ったか否かを確認することができる。
【先行技術文献】
【特許文献】
【０００７】
【特許文献１】特許第４２７６６５４号公報
【発明の概要】
【発明が解決しようとする課題】
【０００８】
上記システムにおいては、撮影の開始、終了をＲＦＩＤタグからの信号を受信することにより行われている。【０００９】
一方、調剤薬局においては、錠剤分包機等を用いて錠剤を分包することが行われている。この錠剤分包機は、ＲＦＩＤタグからの信号を受信して、錠剤の分包情報を得て分包処理が行われている。このため、他のＲＦＩＤタグからの信号が混信すると、誤動作等の懸念が生じ、調剤薬局内では、種々のＲＦＩＤタグを用いることは好ましくない。【００１０】
この発明は、上記事情に鑑みなされたものにして、ＲＦＩＤタグを用いることなく、後日、調剤の内容を容易に確認することができる調剤確認装置を提供することを目的とする。
【課題を解決するための手段】
【００１１】
この発明の調剤確認装置は、業務を行うカウンタを撮像するカメラと、前記カメラで撮影された画像を記憶する記憶手段と、カウンタに調剤に関する対象物の存在の有無を判断する判断手段と、時間情報を出力するタイマーと、前記判断手段の出力に応じて前記記憶手段への画像書き込みを制御する書き込み制御手段と、前記記憶手段に格納された画像を表示する表示手段と、前記書き込まれた画像を検索して前記記憶手段から読み出し、前記表示手段に出力する読み出し制御手段と、を備え、前記書き込み制御手段は、前記判断手段で認識対象物の存在を確認すると前記カメラで撮像した画像を前記タイマー手段の時間情報に関連づけて静止画として前記記憶手段に書き込むとともに、認識対象物が存在する間、動画或いは一連の作業を複数の静止画像で時系列に記録した画像を前記記憶手段に書き込むことを特徴とする。
【発明の効果】
【００１２】
この発明は、調剤に関する対象物の存在の有無を判断し、対象物の存在を確認するとカメラで撮像した画像をタイマー手段の時間情報に関連づけて静止画として記憶手段に書き込むとともに、対象物が存在する間、動画等の情報として記憶手段に書き込むことにより、時間情報に基づき調剤作業の状況を記録した画像検索して、表示することができ、処方箋と手渡した薬の状況を認識することができる。従って、処方箋と手渡した薬との正誤を後日容易に判断できる。
【図面の簡単な説明】
【００１３】
【図１】この発明の調剤確認装置の全体構成を示す模式図である。
【図２】この発明の調剤確認装置の機能ブロック図である。
【図３】この発明の調剤確認装置のカメラの撮像領域を示す模式図である。
【図４】この発明の調剤確認装置に用いる搬器を示す模式図である。
【図５】処方箋の例を示す図である。
【図６】患者を特定するための検索画面を示す図である。
【図７】お薬手帳の例を示す図である。
【図８】薬情報の例を示す図である。
【図９】検索した画像の例を示す模式図である。
【図１０】カウンタの状態、カメラ画像、画像管理サーバ、端末装置との関係を示す図である。
【発明を実施するための形態】
【００１４】
この発明の実施の形態について図面を参照しながら詳細に説明する。なお、図中同一または相当部分には同一符号を付し、説明の重複を避けるためにその説明は繰返さない。
【００１５】
図１は、この発明の調剤確認装置の全体構成を示す模式図である。図１に示すように、カウンタ２上で行われる調剤行為を撮影するために、複数のカメラ１１、１２、１ｎが天井等に設置されている。このカメラ１１、１２、１ｎはＷＥＢカメラで構成され、ネットワーク３に接続されている。尚、この図１においては、ｎ個カメラを設置しているが、カメラの個数は、カウンタ２における薬の配布箇所の個数に合わせて設置される。すなわち、１人の薬剤師が１つの箇所で薬を患者に配布するときには、１つのカメラで良く、複数の薬剤師が同時に複数の箇所で患者に応対可能な場合には、応対が可能な場所に対応してカメラが設置される。
【００１６】
この実施形態では、カウンタ２の薬の配布箇所には、画像録画用マーク２１が設けられている。この画像録画用マーク２１をカメラ１１…が撮影し、この画像データがネットワーク３を介して画像管理サーバ４に与えられる。
【００１７】
ネットワーク３には、画像管理サーバ４が接続され、この画像管理サーバ４に、後述するように、患者に薬を配布する状態を静止画並びに動画で時間に関係づけられ格納される。画像管理サーバ４は、日付、開始時刻毎に画像を保存する。
【００１８】
上述したように、この実施形態においては、マーク２１が処方箋６により覆われ、マーク２１が覆い隠されると、調剤に関する対象物がカウンタ上に存在すると判断される。調剤に関する対象物がカウンタ上に存在することが判断されると、カメラ１で撮影した画像を画像管理サーバ４（画像記録装置４１）に記憶する動作が開始される。すなわち、カメラ１で撮像した画像が認識され、マーク２１が処方箋６により覆い隠され、マーク２１以外の画像を認識すると、カメラ１で撮像した画像を検索用の静止画並びに動画或いは複数の静止画像を時系列に、例えば、１秒毎にいわゆるスライドショーの形式での記録を開始する。
【００１９】
この実施形態においては、検索用の静止画と、例えば、撮影速度３０フレーム／秒のカメラ１で撮像したコンポーネント映像信号をデジタル信号に変換し、所定の形式で圧縮した動画ファイルかスライドショーの形式静止画ファイルが画像管理サーバ４（画像記録装置４１）に格納される。静止画並びに動画には、記録時の日時が関連づけられて記録される。ここで、静止画とは、１つの画像フレームのことを意味する。動画とは、複数の画像フレームを連続して記録することを意味する。この動画またはスライドショーの形式静止画には、処方箋及び患者に薬を手渡すところが記録される。画像ファイルは動画ファイル４１０と、開始数秒後、撮影した画像が安定する時間、例えば、５秒経過後の画像ファイルを静止画にした検索用静止画ファイル４１１とがそれぞれ関連づけられて記憶されている。尚、画像管理サーバ４に記憶させる画像としては、静止画と動画、或いは静止画とスライドショー形式の静止画など画像管理サーバ４の記憶容量やユーザのニーズによって、検索用の静止画以外は、種々選択することが可能である。また、動画の記録も、例えば、１０フレーム／秒など画像ファイルを間引いて記録するなど記憶容量の関係から種々選択すればよい。
【００２０】
ネットワーク３には、患者からの問い合わせがあったときに、該当する情報を検索し、表示するためのパーソナルコンピュータからなる端末装置５が接続される。端末装置５は、日時情報等に基づき画像管理サーバ４に記憶された検索用の静止画を検索し、該当する静止画を抽出して読み出し、ＬＣＤなどからなる表示装置５１に出力し、表示装置５１に検索用静止画像並びに該当する動画像が表示される。
【００２１】
図２の機能ブロック図に従いこの発明にかかる調剤確認装置の構成について説明する。図２において、画像管理サーバ４は、パーソナルコンピュータ（ＰＣ）、ワークステーション等を用いた情報処理装置で構成され、ハードディスクを備えた画像記録装置４１、ＣＰＵ等により構成される制御部、ＲＡＭ、ＲＯＭ等を備えた内部記憶装置等を有する制御装置４０を備える。図２においては、図示しないが、ＬＣＤ等からなる表示装置、キーボード、マウス等を備えた入力装置、ネットワーク３に接続され通信制御を行うネットワーク処理部を備える。この図２における制御装置４０は、ＲＯＭ等に格納されたプログラムにより、各種機能動作を行うもので、この実施形態では、制御装置４０が行う制御動作の機能を機能ブロックとして表している。
【００２２】
カウンタ２の配布箇所をカメラ１で撮像し、この撮像した画像データがネットワーク３を介して画像管理サーバ４に与えられる。この図２においては、カメラ１は、１台だけ記載しているが、複数の台数を用いる場合には、複数のカメラがネットワーク３に接続される。尚、複数のカメラを用いる場合には、各カメラが区別できるように、例えば、各カメラにＩＤを付し、どのカメラからの画像かを画像管理サーバ４が認識できるように構成している。
【００２３】
図３は、カウンタ２のカメラの撮像領域部分を示す斜視図である。カメラ１はカウンタ２の作業領域２２を撮影し、その中央部分に画像録画認識用マーク２１が設けられている。そのマーク２１部分に処方箋６を載置し、マーク２１を隠す。
【００２４】
上記のように、カウンタ２には、画像録画認識用マーク２１が設けられ、このマーク２１を撮影した画像データがネットワーク３を介して画像管理サーバ４の制御装置４０に与えられる。
【００２５】
制御装置４０は、ネットワーク３から入力した画像データを画像処理手段４０ａに取り込む。画像処理手段４０ａは、入力された画像データを内部記憶装置にバッファリングし、バッファリングされた画像を歪み補正や画像処理技術を用いて画像を修正し、画像パターンを認識するのに適した形式に変換したり、画像を記録するのに適した形式のデータ圧縮に変換する等の処理を行う。
【００２６】
画像処理手段４０ａで処理された画像ファイルは内部記憶装置に格納される。この実施形態では、カウンタに調剤に関する対象物の存在の有無を判断する判断手段として、撮影画像にマーク２１が含まれるか否か判別するマーク判別手段２１を用いる。マーク判別手段４０ｂは、内部記憶装置に格納された撮影画像を読み出して、撮影画像にマーク２１が含まれるか否か判別する。マーク判別手段４０ｂからの判別情報は、記録情報制御手段４０ｄに与えられる。記録情報制御手段４０ｄは、マーク２１が含まれることを判別している状態では、画像処理手段４０ａで処理したカメラ１からの画像ファイルは、画像記録装置４１には送らず、画像記録装置４１への記録は開始されない。
【００２７】
画像処理手段４０ａの内部記憶装置は、カメラ１から送られた画像ファイルに逐次書き換えてゆく。
【００２８】
タイマー４０ｅは、システムの日時情報を出力する。この日時情報は、記録情報制御手段４０ｄに与えられる。
【００２９】
認識手段４０ｃは、画像処理手段４０ａから与えられた画像を認識するもので、例えば、画像がバーコードの場合には、バーコードを認識し、バーコードに記載されている情報を記録情報制御手段４０ｄに与える。更に、認識手段４０ｃは文字の場合には、文字を認識し、患者名などの認識結果を記録情報制御手段４０ｄに与える。尚、この実施形態では、マーク判別手段４０ｂと認識手段４０ｃとを別に構成しているが、認識手段４０ｃでマーク２１の画像を認識し、この認識結果により、記録情報制御手段４０ｄが記録開始、記録終了を制御するように構成すれば、マーク判別手段４０ｂの機能を別に構成する必要はなくなる。
【００３０】
検索手段４０ｆは、画像記録装置４１に格納された画像ファイルに関連づけられた時間情報、患者情報等に基づき、画像記録装置４１から画像ファイルを読み出し、ネットワーク３に出力し、端末装置５に与える。
【００３１】
マーク判別手段４０ｂがマーク２１を認識しない、すなわち、マーク２１上に処方箋６が置かれると、記録情報制御手段４０ｄに調剤に関する対象物の存在があるとの情報を出力する。
【００３２】
記録情報制御手段４０ｄは、マーク判別手段４０ｂから調剤に関する対象物の存在があるとの情報を得ると、画像記録装置４１に画像ファイルを記憶させる動作を行う。まず、マーク判別手段４０ｂから調剤に関する対象物の存在があるとの情報を得てから数秒後、撮影した画像が安定する時間、例えば、５秒経過後の静止画ファイルを画像記録装置４１に格納する。
【００３３】
この画像記録装置４１の記録の際に、静止画ファイルに、時間情報、患者名等の情報が認識されている場合には、その認識データと関連づけて格納される。
【００３４】
図４は、医薬品８…を入れる搬器７を示す斜視図である。この搬器７に、処方箋６に従い医薬品８が入れられ、この状態で、カウンタ２上に置かれる。薬剤師は、図８に示す薬品情報に従い、患者に渡す薬の説明、薬袋に薬を入れる。この一連の作業の画像等が画像管理サーバ４の画像記録装置４１に記録される。この一連の作業は、動画或いは一連の作業を複数の静止画像で時系列にいわゆるスライドショーの形式での記録を開始する。この動画ファイル又は時系列的に記録した画像ファイルにも時間情報、また、患者名等の情報が認識されている場合には、その認識データと関連づけて記録する。この動画ファイル或いは一連の作業を複数の静止画像で時系列にいわゆるスライドショーの形式で記録した画像には、処方箋、患者に薬を手渡すところが写っている。そして、患者への薬の手渡しが終了し、マーク判別手段４０ｂがマーク２１を検出すると、その結果が記録情報制御手段４０ｄに与えられる。記録情報制御手段４０ｄは、マーク２１の検出により、画像記録装置４１への画像ファイルの記録を終了する。
【００３５】
画像記録装置４１には、静止画ファイル、動画ファイルが日付、開始時刻毎に保存される。また、バーコード読み取り、画像認識等により、患者名等の特定情報などがある場合には、この認識情報も関連づけて格納される。
【００３６】
端末装置５は、パーソナルコンピュータ（ＰＣ）で構成され、ＣＰＵ等を有する制御部、ＲＡＭ、ＲＯＭ等を備えた内部記憶装置等により構成される制御装置５０、ＬＣＤ等からなる表示装置５１を備える。図２においては、図示しないが、キーボード、マウス等を備えた入力装置、ネットワーク３に接続され通信制御を行うネットワーク処理部を備える。この図２における制御装置５０は、ＲＯＭ等に格納されたプログラムにより、各種機能動作を行うもので、この実施形態では、制御装置５０が行う制御動作の機能を機能ブロックとして表している。
【００３７】
検索手段５０ａは、患者から問い合わせがあった場合、薬局職員が患者に渡した時間や、患者情報、日時を入力装置で入力した情報に基づき、検索条件を作成し、その検索条件がネットワーク３を介して画像管理サーバ４に与えられる。画像管理サーバ４は、検索条件に従い、画像記憶装置４１から該当する静止画ファイルを読み出し、そのデータがネットワーク３を介して端末装置５に与えられる。薬局職員は、患者の証言やこの患者名が付された処方箋を探し、処方箋に印刷された時刻から患者に薬を渡した時刻を推定して検索条件として入力する。
【００３８】
この検索条件を入力する際に、患者が図７に示すようなお薬情報を持参している場合には、そのお薬情報に記載されたデータに基づいて、日付を特定し、時間等を推定して検索条件を指定する。
【００３９】
該当する静止画ファイルを受け取ると、端末装置５は画像編集手段５０ｂで推定時刻周辺の複数の検索用の静止画ファイルを時間順に一覧として表示できるように編集し、画像出力手段５０ｃに与える。画像出力手段５０ｃは、推定時刻周辺の複数の検索用の静止画ファイルを処方箋の患者の情報部分を抽出して表示するように画像表示装置５１に出力する。画像表示装置５１では、図６に示すように、少なくとも患者名、日時情報が特定する領域する領域を抽出して映し出された複数のサムネイル画像が表示される。
【００４０】
この図６に示す例では、１５人分の検索用の静止画が表示されている。各静止画の下方には、記録を開始した時刻と終了した時刻とが表示されている。このように、推定時刻周辺の静止画像が同一画面に表示することで、明確な時刻を特定できなくても、推定時刻の前後を含む静止画像が一覧に表示されるので、画像の特定も容易に行える。また、この画像表示装置５１に表示する静止画の数は、図６に示す１５人分とは、限らずに、４人、２０人とユーザが任意の数に設定できる。この表示する人数によって、静止画の表示の大きさを適宜変更すればよい。また、１画面に検索対象の全ての静止画が表示されない場合には、複数頁に亘って表示し、画面上の前頁、次頁の領域をマウス等でクリックさせ、表示を切り替えればよい。
【００４１】
また、この検索により表示した静止画に該当する患者がない場合には、応対している薬局職員が検索時間の最初の頁を表示した後に、更に前頁の領域をクリックすると、検索開始の推定時間より前の所定時間の検索用静止画を表示させるように構成しても良い。同様に、応対している薬局職員が検索時間の最後の頁を表示した後に、更に次頁の領域をクリックすると、検索開始の推定時間より後の所定時間の検索用静止画を表示させるように構成しても良い。このように構成することで、推定時間を入力し直すことなく、さらに、対応する患者の画像を検索することができる。
【００４２】
患者が特定できる検索用の静止画ファイルを見つけると、動画再生の領域をクリックし、その静止画ファイルに対応する動画ファイルを画像管理サーバ４に要求する。例えば、図６に示す例では、９時２７分２１秒から９時３０分２１秒までの画像である「Ｂ川二郎」が該当する患者であり、この領域を指定した後、動画再生を要求する。画像管理サーバ４は要求された動画ファイル或いは、動画に変えて、一連の作業を複数の静止画像で時系列にいわゆるスライドショーの形式で記録しているときは、これらの静止画を出力し、端末装置５に与える。端末装置５では、患者に対する薬の受け渡しの状態が表示装置５１に表示されるので、処方された通りの薬が揃えたかどうかが判断できる。また、必要に応じて、図９に示すような手渡した薬の画像を静止画状態で表示させ、患者にその画像を見せて、薬の処方に誤りがないことを認識させることができる。この薬の画像には、図９に示すように、撮影時間情報も同時に表示され、この撮影時間情報を確認することで、この日に渡した薬の処方に誤りがないことがより明確に判断できる。薬の処方が誤っていた場合には、訂正して正しい処方の薬を患者に渡す。また、処方が正しい場合には、患者に誤って複数の薬を飲まないように指導等を行えば良い。
【００４３】
また、処方箋に薬剤師のＩＤをクリップ等で付すことにより、カメラ１で撮影するようにして良い。画像ファイルを見れば、担当薬剤師が分かるようになる。
【００４４】
処方箋に、日付、時刻、受付Ｎｏ．、患者ＩＤ、患者名、生年月日等を意味づけるバーコードが印刷されている時は、印刷されたバーコードが意味する情報を画像ファイルと関連づけるように記憶すればよい。このように関連づけられていると、端末装置５で検索するときに、画像ファイルを表示するのではなく、患者情報を表形式で一覧表示させることも可能であり、患者名でソートして、日付が曖昧な患者のデータを容易に検索することができる。
【００４５】
次に、この発明の調剤確認装置における動作を、図１０を参照して説明する。カウンタ２のカメラの撮像領域部分をカメラ１が撮影する。カウンタ２の作業領域に何も置かれていない場合には、カメラ１から画像録画認識用マーク２１の画像が出力されている（Ｓ１）。カウンタ２にマーク２１上に処方箋６が置かれると、カメラ１からは処方箋６の画像が出力される（Ｓ２）。マーク判別手段４０ｂは、カウンタ２上に調剤に関する対象物があると判断し、記録情報制御手段４０ｄにその判断結果を与える。
【００４６】
画像管理サーバ４の記録情報制御手段４０ｄは、マーク判別手段４０ｂから調剤に関する対象物の存在があるとの情報を得ると、記録を開始し、画像記録装置４１に画像ファイルを記憶させる動作を行う。まず、マーク判別手段４０ｂから調剤に関する対象物の存在があるとの情報を得てから数秒後、静止画ファイルを画像記録装置４１に格納する。この画像記録装置４１の記録の際に、静止画ファイルに、時間情報、患者名等の情報が認識されている場合には、その認識データと関連づけて格納される。続いて、カメラ１は、患者に渡す薬の説明、薬袋に薬を入れる画像を出力する（Ｓ５）。この一連の作業の画像等が画像管理サーバ４の画像記録装置４１に動画或いは一連の作業を複数の静止画像で時系列にいわゆるスライドショーの形式で記録した画像として記録される（Ｓ６）。この動画ファイル或いは一連の作業を複数の静止画像で時系列にいわゆるスライドショーの形式で記録した画像も時間情報、また、患者名等の情報が認識されている場合には、その認識データと関連づけて記録する。
【００４７】
そして、患者への薬の手渡しが終了し、カメラ１は、マークの画像を出力し（Ｓ７）、マーク判別手段４０ｂがマーク２１を検出すると、記録情報制御手段４０ｄにその判断結果を与え、画像記録装置４１への画像ファイルの記録を終了する。
【００４８】
患者から問い合わせがあった場合、薬局職員が患者に渡した時間や、患者情報、日時を端末装置５の入力装置で入力する（Ｓ１０）。この情報に基づき、検索条件を作成し、その検索条件がネットワーク３を介して画像管理サーバ４に与えられる（Ｓ１１）。画像管理サーバ４は、検索条件に従い、画像記憶装置４１から該当する静止画ファイルを読み出し（Ｓ１２）、そのデータがネットワーク３を介して端末装置５に与えられる。
【００４９】
該当する静止画ファイルを受け取ると、端末装置５は画像編集手段５０ｂで推定時刻周辺の複数の静止画ファイルを時間順に一覧として表示できるように編集し、画像表示装置５１では、少なくとも患者名、日時情報が特定する領域する領域を抽出して映し出された複数のサムネイル画像として表示する（Ｓ１３）。
【００５０】
患者が特定できる静止画ファイルを見つけると、その静止画ファイルに対応する動画ファイルを画像管理サーバ４に要求する（Ｓ１４）。画像管理サーバ４は要求された動画或いは一連の作業を複数の静止画像で時系列にいわゆるスライドショーの形式で記録した画像ファイルを出力し、端末装置５に与える（Ｓ１５）。そして、端末装置５では、患者に対する薬の受け渡しの状態が表示装置５１に表示される（Ｓ１６）。
【００５１】
上記した実施形態においては、カウンタ２に調剤に関する対象物の存在の有無を判断する判断手段として、カウンタ２の薬の配布箇所に画像記録用マーク２１を設け、このマーク２１の認識の有無により判断し、このマーク２１の認識の有無により、画像管理サーバ４へのカメラ１の画像の書き込みを制御しているが、カウンタに調剤に関する対象物の存在の有無を判断する判断手段はこれに限らない。例えば、カウンタ２には、マーク２１を設けず、カメラ１の撮影領域２２内に処方箋６が置かれ、カメラ１からの画像を認識し、認識した結果が処方箋６である場合には、カウンタ２に調剤に関する対象物が存在すると判断し、画像管理サーバ４へのカメラ１の画像の書き込みを開始する。また、カメラ１からの画像がカウンタ２だけの状態を所定時間以上認識すると、カウンタ２に調剤に関する対象物が存在しないと判断し、画像管理サーバ４へのカメラ１の画像の書き込みを終了するように構成できる。
【００５２】
また、カウンタ２に調剤に関する対象物の存在の有無を判断する判断手段として、カメラ１の画像を用いずに、反射型センサなどを用い、カウンタ２に調剤に関する対象物の存在の有無を判断するように構成しても良い。
【００５３】
更に、薬剤師が患者に薬を渡すときに、記録開始スイッチを押し、渡し終わると、記録停止スイッチを押すようにして、カウンタ２に調剤に関する対象物の存在の有無を判断させても良い。
【００５４】
今回開示された実施の形態はすべての点で例示であって制限的なものではないと考えられるべきである。この発明の範囲は、上記した実施の形態の説明ではなくて特許請求の範囲によって示され、特許請求の範囲と均等の意味および範囲内でのすべての変更が含まれることが意図される。
【符号の説明】
【００５５】
１  カメラ
２  カウンタ
２１  画像記録用マーク
３  ネットワーク
４  画像管理サーバ
５  端末装置
６  処方箋
【図１】
2012111498.tif 000003
【図２】
2012111498.tif 000004
【図３】
2012111498.tif 000005
【図４】
2012111498.tif 000006
【図５】
2012111498.tif 000007
【図６】
2012111498.tif 000008
【図７】
2012111498.tif 000009
【図８】
2012111498.tif 000010
【図９】
2012111498.tif 000011
【図１０】
2012111498.tif 000012
【国際調査報告】
2012111498.tif 000013
2012111498.tif 000014
2012111498.tif 000015
2012111498.tif 000016